(57)【要約】【課題】  少ない部材でコスト低減を図り、乾式で簡単に施工可能な立ち上がりＡＬＣ壁の手摺取付用下地鋼材の固定構造を提供する。【解決手段】  軽量気泡コンクリートパネル内部に、上端内側にネジ切りが施され下部にはアンカー棒を挿入するための貫通孔が設けられているアンカーパイプを埋設し、前記軽量気泡コンクリートパネル上部小口面に孔を開けた帯鋼板からなる手摺固定用下地鋼材を載置して、孔にボルトを貫通させて前記アンカーパイプ上端内側のネジ切り部に螺合させて、手摺固定用下地鋼材を軽量気泡コンクリートパネル上部小口面に固定し、該手摺固定用下地鋼材に手摺支持部材を溶接固定して、立ち上がり軽量気泡コンクリート壁の上部小口面に手摺を取り付ける。【選択図】    図１
2008285941.tif 000002
【特許請求の範囲】
【請求項１】
軽量気泡コンクリートパネルで構築した立上がり壁の上端小口面に手摺取付用の下地鋼材を固定する構造であって、一端の内面に雌ねじ部を有し他端には貫通孔が設けられたアンカーパイプが、軽量気泡コンクリートパネル上部小口面に雌ねじ部が露出するように雌ねじ部を上側に貫通孔を下側にして軽量気泡コンクリート内に埋設され、アンカーパイプの貫通孔にはアンカー棒がパネル表面に垂直になるように挿入され、雌ねじ部に手摺取付用の下地鋼材の孔部を貫通させたボルトが螺合しており、ボルトを締め付けることにより下地鋼材が軽量気泡コンクリートパネル上部小口面に固定されていることを特徴とする、手摺取付用下地鋼材の固定構造。
【請求項２】
前記下地鋼材が孔部を有する平鋼であり、ボルトはねじ径よりも大きくかつ下地鋼材の孔部径よりも大きい径の頭部を有し、ボルトが下地鋼材の孔部を貫通してボルトの頭部が下地鋼材を押さえつけるようにアンカーパイプの雌ネジ部に螺合されていることを特徴とする、請求項１に記載の手摺取付用下地鋼材の固定構造。
【請求項３】
前記下地鋼材が所定ピッチに応じた長さに切断された平鋼であり、ボルトはねじ径よりも大きい径の頭部を有し、下地鋼材は所定ピッチで間隔を開けて複数枚敷設され、隣り合う下地鋼材の端部間隙の上面に座金を配置し、座金の孔を貫通したボルトの頭部が座金を介して下地鋼材を押さえつけるようにしてボルトがアンカーパイプの雌ねじ部材に螺合されていることを特徴とする、請求項１に記載の手摺取付用下地鋼材の固定構造。
【請求項４】
前記下地鋼材がアンカーパイプに合わせた所定ピッチに応じた長さに切断された平鋼であり、前記ボルトの頭部にはねじ軸に垂直な平板部を有し、平板部の中央部には螺合用のアタッチメントに応じた凹状部を有しており、所定ピッチで間隔を開けて敷設した複数枚の下地鋼材の、隣り合う端部間隙に開口しているアンカーパイプの雌ねじ部材にボルトを螺合させ、ボルトの平板部が下地鋼材を押さえつけるようにして雌ねじ部材に螺合されていることを特徴とする、請求項１に記載の手摺取付用下地鋼材の固定構造。
【請求項５】
前記下地鋼材は平鋼であり、前記ボルトの頭部にはねじ軸に垂直な平板部を有し、平板部の中央部には螺合用の工具のアタッチメントに応じた凹状部を有しており、ボルトの平板部が軽量気泡コンクリートパネルの上部小口面に押し付けられて固定されており、ボルトがアンカーパイプの雌ねじ部材に螺合され、ボルト平板部の上面に下地鋼材が敷設されて溶接固定されていることを特徴とする、請求項１に記載の手摺取付用下地鋼材の固定構造。
【請求項６】
前記アンカーパイプおよび前記アンカー棒の表面の少なくとも一部がゴム材で被覆されていることを特徴とする、請求項１に記載の手摺取付用下地鋼材の固定構造。
【発明の詳細な説明】
【技術分野】
【０００１】
本発明は、軽量気泡コンクリートパネル（以下、ＡＬＣパネルという。）を使用して構成される、ベランダ、バルコニー、パラペット、廊下、階段等の立ち上がり壁に手摺を取り付ける場合の手摺取付構造に関するものである。
【背景技術】
【０００２】
ＡＬＣパネルは、建物の壁、床、屋根等に使用されている。この中で、ＡＬＣパネルがベランダや階段の立ち上がり壁として使用される場合には、立ち上がり壁として使用するＡＬＣパネルの横幅方向の略中心部でかつ高さ方向の下部及び下寄りの中間部とを、パネル取付金具などを介して建物躯体に取り付けて支持する構造が採用されている。その一例として図９に示すような立ち上がり壁の取付構造が知られている。
図９に示す立ち上がり壁の取付構造では、ベランダ壁として使用されるＡＬＣパネル１内に、２つのアンカー３１、３２が埋設されており、その埋設位置はＡＬＣパネル１の下部寄り部分と縦方向の中間部分との２カ所で、かつＡＬＣパネル１の横幅方向の中心部に位置している。中間部の位置は通常はＡＬＣパネル中心点よりもやや下方部に位置している。そして、ＡＬＣパネル１はアンカー３１、３２の２カ所で取付け金具５とボルト６とを介して建物驅体７に取付けられている。
なお、ＡＬＣパネル１内に埋設されるアンカー３１、３２は、長尺Ｌ字型プレートであり、ＡＬＣパネル１の横幅の１／３以上の長さを有するとともに、アンカーナットがその中心に１個のみ設けられた構造である。
そして、アンカー３１の位置高さのＡＬＣパネル１内面側の位置には、Ｌ字型アングル８が梁等の建物驅体７に溶接固定されており、その起立板８ａの背面がＡＬＣパネル１内側面に当接するように設けられている。
【０００３】
また、ＡＬＣパネル１の下部小口面１ｅは、Ｌ字型の受けアングル１０に載置されており、その起立板１０ａの内側面がＡＬＣパネル１の内側面と当接するように設置されていて、ＡＬＣパネル１の下部小口面１ｅを受け止めている。Ｌ字型アングル８の起立板８ａとＬ字型の受けアングル１０の起立板１０ａとには、取付金具５がＡＬＣパネル１のアンカー３１および３２の位置に対応して固定されている。
この取付構造によれば、十分な取付強度を容易に持たせることができ、しかも少ない取付部材で容易に立ち上がり壁を建物躯体に取り付けることができるとされている（例えば、特許文献１参照。）
【０００４】
この場合、立ち上がり壁は、ベランダ、階段、廊下などその上端に手摺を設ける場合が多く、前記パネルの基本構造に加えて、パネルの側方小口面同士が摺動可能に当接しており、ＡＬＣパネルの上方小口面のパネル横幅方向の中央部またはその付近にアンカー部材が植設されており、そのアンカー部材に手摺柱を取り付けるための鋼板が固定されている構造が知られている。
その一例としては図１０に示すように、前記内容に加えアンカー部材とパネル母材との間をセメント系接合材で埋めて固定することが開示されている。さらに、鋼板をナットによりアンカー部材に効率良く固定するため、あらかじめ孔をあけた鋼板を使用することが開示されている（例えば、特許文献２参照。）。
【０００５】
図１０に示された手摺取付構造の例ではＡＬＣパネル１はモルタル等を使用せずに、側方小口面１ｃ同士が摺動可能に直接当接している。ＡＬＣパネル１の目地部１８は側方小口面１ｃに設けられた凹凸が係合する実目地を形成している。
ＡＬＣパネル１の上方小口面１ｄの横幅方向の中央部には、手摺取付用部材１９を緊結するためのアンカー部材２０が植設されている。このアンカー部材２０の上部２０ａには雄ネジが螺刻されていて、その部分がＡＬＣパネル１の上方小口面１ｄより突出しており、残り部分はＡＬＣパネル１内に穿孔された孔にモルタル等の接着部材２１を充填して植設固定してある。手摺取付用部材１９としては、アンカー部材２０の上部２０ａを貫通させる孔２９を設けた所定厚さの帯鋼板が用いられており、その孔２９にアンカー部材２０を貫通させて、アンカー部材２０の上部２０ａにワッシャー２２を介してナット２３を螺合して、上方小口面１ｄに敷設固定してある。
【０００６】
手摺取付用部材１９の上面には手摺支柱部材２４を所定間隔で溶接固定してあり、手摺取付用部材１９上に手摺支柱部材２４を貫通させた笠木２５を載置してある。また、手摺支柱部材２４の上端部には手摺２６を固定してある。なお、手摺支柱部材２４は手摺取付用部材１９の上面にビスなどの係止部材を用いて固定しても良い。
このような構造とすれば、手摺取付用部材１９を緊結させる際に、アンカー部材２０の上部２０ａに設けた雄ネジにナット２３を螺合させて固定すると、簡単な構造でしかも固定作業も簡単で十分な緊結強度をもって緊結することができる。
【０００７】
また他の手摺取付構造の例としては図１１に示すように、パネル側方小口面同士が互いに突き合わされてできる目地部内の空隙部にモルタルを流し込み、該モルタルに目地鉄筋のような棒鋼よりなる埋込部材がＡＬＣパネルの上方から挿入されており、その埋込部材に鋼板をナットなどの掛け止め金具により固定し、鋼板に手摺柱が固定されている構造について開示されている（例えば特許文献３参照。）。
【０００８】
図１１の例では、半円筒状の凹条１７が形成されたＡＬＣパネル１の側方小口面１ｃ同士が互いに突き合わされてできる目地部１８内の円筒状の空隙部Ｍに、接着部材としてモルタルを流し込み、モルタルを硬化させる。それによって隣同士のＡＬＣパネルは一体化され、ＡＬＣパネル１の目地部１８は強度を持つようになり、ＡＬＣパネルにかかる荷重を隣同士のパネルに分散させる役割も果たす。
このモルタルの流し込みの際、上端部にネジ部が形成された係止金具となるアンカー部材２０を予め用意しておき、ＡＬＣパネル１，１，１・・・間の目地部１８内の上部に、ネジ部がＡＬＣパネル１の上方小口面１ｄよりも突出するように埋設して、アンカー部材２０をモルタルで固定する。
図１２に、この際使用するアンカー部材２０の一例を外観斜視図で示す。図１２に示したアンカー部材２０は、棒鋼３６の上端部にネジ切り部３６ｂを設け、かつ下部をプレスして板状部分３６ａを形成したものである。このようなアンカー部材を使用すれば、板状部分３６ａがモルタル内で強固に固定されるとともに、上端部にネジ切り部３６ｂで手摺取付用部材をネジ止めして固定することが容易となる。
次に、ＡＬＣパネル１の上方小口面１ｄに突出した係止金具であるアンカー部材２０に、手摺取付用部材１９を係止させてＡＬＣパネル１の上方小口面１ｄ上に敷設・固定し、その手摺取付用部材１９に手摺支柱部材２４を固定する。より具体的には、別に孔２９が開けられた帯鋼からなる手摺取付用部材１９を用意しておき、この手摺取付用部材１９の孔２９にアンカー部材２０（係止金具）を貫通させる。そして、手摺取付用部材１９の上からアンカー部材上部２０ａのネジ部にナット２３を螺合することにより、ＡＬＣパネル１の上方小口面１ｄ上に手摺取付用部材１９を敷設・固定する。
【０００９】
この図１１の例においては特許文献２の例と同様に、埋込アンカー部材が突き抜ける穴があらかじめあけられている鋼板を使用し、鋼板に手摺取付用部材を直接溶接することが開示されている。
係止金具としてこのようなアンカー部材を利用し、ナットを用いて手摺取付用部材を敷設・固定する構成とすれば、より少ない部材で取り付けることができるためコストがより低減し、また、取付け作業も容易になるとされる。
また、ＡＬＣパネルが揺れても手摺取付用部材がＡＬＣパネルの上方小口面にぴったりくっついて、浮き上がることが全くなくなるので、ＡＬＣパネル同士の連結がより強固になり、隣同士のＡＬＣパネルは一体化され、ＡＬＣパネルにかかる荷重を隣同士のパネルに分散させるので、より頑丈な手摺付き立ち上りＡＬＣ壁構造となるとされる。
また、モルタルは固化後にＡＬＣパネルの数倍の強度に固まり、隣同士のＡＬＣパネルを一体化させるので、アンカー部材は手摺部や手摺取付用部材のより強固なアンカーになるとされている。
【００１０】
特許文献２ではセメント系の結合材、特許文献３ではモルタルを、それぞれアンカー部材のＡＬＣへの固定に使用する。この場合、現場で材料と水を調合し施工する湿式構法となり以下のような課題があった。
・水と粉体の調合と混練作業が必要であり手間が多い。
・孔部あるいは丸溝部にセメント系の結合材やモルタルを充填する際、現場が汚れやすい。
・養生期間が必要となり工期が長くなる。
加えて特許文献３においては、
・セメント系結合材のＡＬＣとの接着力を確保するためアンカー部材を植設する孔部の内面に付着した粉を除去する必要があるが、その作業が煩雑である。
などの課題があった。
【特許文献１】特開平０９−２０３１５１号公報
【特許文献２】特開２０００−１２９７７３号公報
【特許文献３】特開平０９−３１７１２０号公報
【発明の開示】
【発明が解決しようとする課題】
【００１１】
本発明は上記課題を解決するためになされたものであり、ＡＬＣパネルで構築された立上がり壁の天端に手摺を取付ける際に、乾式で必要な固定強度が安定的に得られる手摺下地の固定構造を提案することにある。
【課題を解決するための手段】
【００１２】
上記課題を解決するために、本発明は、軽量気泡コンクリートパネルで構築した立上がり壁の上端小口面に手摺取付用の下地鋼材を固定する構造であって、一端の内面に雌ねじ部を有し他端には貫通孔が設けられたアンカーパイプが、軽量気泡コンクリートパネル上部小口面に雌ねじ部が露出するように雌ねじ部を上側に貫通孔を下側にして軽量気泡コンクリートパネル内に埋設され、アンカーパイプの貫通孔にはアンカー棒がパネル表面に垂直になるように挿入され、雌ねじ部に手摺取付用の下地鋼材の孔部を貫通させたボルトが螺合しており、ボルトを締め付けることにより下地鋼材が軽量気泡コンクリートパネル上部小口面に固定されている手摺取付用下地鋼材の固定構造とした。
また、上記課題を解決するために本発明の固定構造は、前記下地鋼材が孔部を有する平鋼であり、ボルトはねじ径よりも大きくかつ下地鋼材の孔部径よりも大きい径の頭部を有し、ボルトが下地鋼材の孔部を貫通してボルトの頭部が下地鋼材を押さえつけるようにアンカーパイプの雌ネジ部に螺合されている手摺取付用下地鋼材の固定構造とした。
【００１３】
また、本発明の固定構造は、前記下地鋼材が所定ピッチに応じた長さに切断された平鋼であり、ボルトはねじ径よりも大きい径の頭部を有し、下地鋼材は所定ピッチで間隔を開けて複数枚敷設され、隣り合う下地鋼材の端部間隙の上面に座金を配置し、座金の孔を貫通したボルトの頭部が座金を介して下地鋼材を押さえつけるようにしてボルトがアンカーパイプの雌ねじ部材に螺合されている手摺取付用下地鋼材の固定構造としても良い。
あるいは、前記下地鋼材がアンカーパイプに合わせた所定ピッチに応じた長さに切断された平鋼であり、前記ボルトの頭部にはねじ軸に垂直な平板部を有し、平板部の中央部には螺合用のアタッチメントに応じた凹状部を有しており、所定ピッチで間隔を開けて敷設した複数枚の下地鋼材の、隣り合う端部間隙に開口しているアンカーパイプの雌ねじ部材にボルトを螺合させ、ボルトの平板部が下地鋼材を押さえつけるようにして雌ねじ部材に螺合されている手摺取付用下地鋼材の固定構造としても良い。
【００１４】
さらに、本発明の前記下地鋼材の固定構造は、下地鋼材は平鋼であり、前記はボルトの頭部にはねじ軸に垂直な平板部を有し、平板部の中央部には螺合用の工具のアタッチメントに応じた凹状部を有しており、ボルトの平板部が軽量気泡コンクリートパネルの上部小口面に押し付けられて固定されており、ボルトがアンカーパイプの雌ねじ部材に螺合され、ボルト平板部の上面に下地鋼材が敷設されて溶接固定されている手摺取付用下地鋼材の固定構造としても良い。
【００１５】
本発明にいては、前記アンカーパイプおよび前記アンカー棒の表面の少なくとも一部をゴム材で被覆したものとしてもよい。
【発明の効果】
【００１６】
本発明によれば、手摺取付用の下地鋼材を締め付けるボルトが直接ＡＬＣパネルに接触しておらず、ボルトの応力がアンカーパイプにより分散されてＡＬＣパネルに伝わるので、立ち上がり壁として使用するＡＬＣパネルの上部小口面に十分な強度を確保した手摺を簡単にしかも確実に取り付けることができる。また、乾式作業のみで取り付けることができ、現場のクリーンアップを図ることができる。さらに、乾式で取り付けることによりモルタルの硬化を待って手摺を施工する必要がなく、施工スピードのアップにつなげることができ、全体として施工コストを抑制することができる。
【発明を実施するための最良の形態】
【００１７】
（第１の実施の形態）
図１に、本発明により立ち上がりＡＬＣ壁に手摺を取り付けた状態の一例を外観斜視図で示す。
図１に示した手摺の取付構造では、ＡＬＣパネル１の上部小口面１ｄに手摺取付用の下地鋼材９が載置され、ボルト３によりＡＬＣパネル１に埋設されたアンカーパイプ２のネジ切り部に螺合させて固定してある。この手摺取付用の下地鋼材９に手摺支柱部材２４を溶接固定して、手摺２６をＡＬＣパネル１の上部小口面１ｄに取り付ける。
【００１８】
図２は、本発明の第１の実施形態に係る手摺下地取付構造の施工方法を説明する斜視図である。
ＡＬＣパネル１の上部小口面１ｄには、ＡＬＣパネル１の内部に埋設されたアンカーパイプ２の上端２ａに設けられたネジ切り部２ｂが露出している。
ここで、アンカーパイプ２は、ＡＬＣパネル１の厚さの１／８ないし１／４の外形を有し、長さが２５〜３５ｃｍ程度の鋼管からなり、上端２ａの内側にはネジ切り加工を施して、後にボルトで手摺取付用の下地鋼材９を固定するためのネジ切り部２ｂが設けられており、アンカーパイプ２の下部には引抜き防止用のアンカー棒４を挿入するための貫通孔２ｃが穿孔されている。図３はアンカーパイプ２の構造を示し、（ａ）は側面図、（ｂ）は正面図を示す。
【００１９】
アンカーパイプ２をＡＬＣパネル１内に埋設する方法の一つとしては、型枠内に軽量気泡コンクリートを注入して硬化させる際に、あらかじめ貫通孔２ｃにアンカー棒４を挿入したアンカーパイプ２を型枠内にセットしておく方法がある。
別の方法としては、軽量気泡コンクリート硬化させてＡＬＣパネルを得た後、ＡＬＣパネル１の上部小口面１ｄ及び表面１ａの所定位置に、ドリルを使用してアンカーパイプ２挿入用とアンカー棒４挿入用の孔を穿孔し、しかる後、ＡＬＣパネル１の上部小口面１ｄからアンカーパイプ２を挿入し、さらにＡＬＣパネル１の表面１ａから貫通孔２ｃにアンカー棒４を挿入する方法も利用できる。
【００２０】
次に、各ＡＬＣパネル１の上部小口面１ｄの厚さ方向の中央部に、ＡＬＣパネル表面１ａに平行となるように、帯鋼板からなる手摺取付用の下地鋼材９を載置する。手摺取付用の下地鋼材９にはアンカーパイプ２の埋設ピッチにあわせて、あらかじめボルト挿入用の孔部９ａを設けておく。手摺取付用の下地鋼材９の幅は、ＡＬＣパネル１の幅よりもやや狭くするのが好ましい。また、手摺取付用の下地鋼材９の長さは１枚のＡＬＣパネル１の長さと同じでも良いが、強度の点からＡＬＣパネルの長さの数枚分の長さを有するものとする方がより好ましい。
ＡＬＣパネル１の上部小口面１ｄに手摺取付用の下地鋼材９を載置した後、ボルト３を手摺取付用の下地鋼材９の孔部９ａに貫通させてアンカーパイプ２のネジ切り部２ｂに螺合し、手摺取付用の下地鋼材９をＡＬＣパネル１の上部小口面１ｄに固定する。
【００２１】
手摺取付用の下地鋼材をＡＬＣパネル１の上部小口面に固定した後は、従来方法と同様に、手摺取付用の下地鋼材に図示省略の手摺支柱部材を溶接固定し、ＡＬＣパネルからなる立ち上がり壁等に手摺を取り付ければよい。
この際、あらかじめ手摺取付用の下地鋼材９に手摺支持部材を固定するための手摺支持部材受け金具を取り付けておくと、強度や施工作業の点から好ましい。手摺支持部材受け金具は、手摺支持部材がパイプ状の時は該パイプ内径よりも細い突起が、手摺支持部材が棒状の時は該棒外径よりも太い内径のパイプが利用できる。
【００２２】
上記第１の実施形態における下地鋼材の固定構造を断面図で図４に示す。
アンカーパイプの上端２ａは、ＡＬＣパネル１の上部小口面１ｄから１０ｍｍ以上内部に位置することが望ましい。これは、アンカーパイプ２の上端角部がＡＬＣパネル１の端部に接すると水平方向に荷重が掛かった場合に欠けやすいためである。
また、ボルト３を締め付けていくことで、アンカー棒４がＡＬＣパネルの上部小口面１ｄに密着し、固定強度が増す。
【００２３】
（第２の実施の形態）
図５は、本発明の第２の実施形態に係る手摺下地取付構造の施工方法を説明する斜視図である。本実施形態においても第１の実施形態で使用したのと同じアンカーパイプ２を使用して、第１の実施形態と同様にしてＡＬＣパネル内１に埋設して使用する。
すなわち、ＡＬＣパネル１の上部小口面１ｄの厚さ方向の中央部に、ＡＬＣパネル表面１ａに平行となるように帯鋼板からなる手摺取付用の下地鋼材１２を載置する。手摺取付用の下地鋼材１２はＡＬＣパネル１内に埋設されたアンカーパイプ２の上端が露出した位置で間隙ができるようにして載置し、ＡＬＣパネル１の上部小口面１ｄの全長にわたって複数枚載置する。
次に、手摺取付用の下地鋼材１２の隣り合う両端１２ａ、１２ｂに跨るように、ボルト挿入用の長孔１３ａを有するプレート１３を載置する。該プレート１３を手摺取付用の下地鋼材１２の表面に溶接固定する。
【００２４】
ＡＬＣパネル１には、上部小口面１ｄからアンカーパイプ２が挿入され埋設されており、このアンカーパイプ２の上端２ａの内面に螺刻されたネジ切り部２ｂがＡＬＣパネル１の上部小口面１ｄに露出している。プレート１３の長孔１３ａにボルト３を貫通させ、前記ネジ切り部２ｂに螺合させて締め付けることにより、手摺取付用の下地鋼材１２をＡＬＣパネル１の上部小口面１ｄに固定する。
手摺取付用の下地鋼材１２をＡＬＣパネル１の上部小口面１ｄに固定した後は、第１の実施形態と同様に、該手摺取付用の下地鋼材１２に手摺支柱部材２４を溶接固定して、立ち上がりＡＬＣ壁に手摺を取り付ける。
【００２５】
（第３の実施の形態）
図６は本発明の第３の実施形態に係る手摺下地取り付け構造の施工方法を説明する斜視図である。本実施形態においても、第一の実施形態で使用したものと同じアンカーパイプ２を使用して、第一の実施形態と同様にしてＡＬＣパネル内１に埋設して使用する。
すなわち、ＡＬＣパネル１の上部小口面１ｄの厚さ方向の中央部に、ＡＬＣパネル表面１ａに平行となるように帯鋼板からなる手摺取付用の下地鋼材１２を載置する。手摺取付用の下地鋼材１２はＡＬＣパネル１内に埋設されたアンカーパイプ２の上端が露出した位置で間隙１２ａができるようにして載置し、ＡＬＣパネル１の上部小口面１ｄの全長にわたって複数枚載置する。
ＡＬＣパネル１には、上部小口面１ｄからアンカーパイプ２が挿入され埋設されており、このアンカーパイプ２の上端２ａの内面に螺刻されたネジ切り部２ｂがＡＬＣパネル１の上部小口面１ｄに露出している。
下地鋼材１２の間隙１２ａを通してアンカーパイプ２のネジ切り部２ｂにボルト３８を挿入して螺合させる。ボルト３８の頭部はボルト軸に垂直な平板部３８ａをなしており、平板部３８ａの中心には螺合工具のアタッチメントに合った凹部３８ｂが加工されていて、凹部３８ｂを利用しドリルなどの電動工具やレンチを用いて締め付けると作業性がよい。  下地鋼材１２をボルト３８で締め付けて固定した後、平板部３８ａと下地鋼材１２の接する部分を溶接により固定する。
【００２６】
（第４の実施の形態）
図７は本発明の第４の実施形態に係る手摺下地取り付け構造の施工方法を説明する斜視図であって、（ａ）は施工手順を説明する図、（ｂ）は施工後の状態を示す図である。本実施形態においても、第一の実施形態で使用したものと同じアンカーパイプ２を使用して、第一の実施形態と同様にしてＡＬＣパネル内１に埋設して使用する。
ＡＬＣパネル１には、上部小口面１ｄからアンカーパイプ２が挿入され埋設されており、このアンカーパイプ２の上端２ａの内面に螺刻されたねじ切り部２ｂがＡＬＣパネル１の上部小口面１ｄに露出している。
実施例３で使用したのと同様なボルト３８をアンカーパイプ２のねじ切り部２ｂに螺合し、実施例３と同様に、ドリル等の電動工具やレンチを用いて締め付ける。その後、ボルト３８頭部の平板部３８ａの上面に下地鋼材１２を載置し、平板部３８ａと下地鋼材１２とが接する部分を溶接固定する。図中３９は溶接ビードを示す。
【００２７】
（第５の実施の形態）
図８に、本発明で使用するアンカーパイプとアンカー棒の第５の実施の形態の構造を示し、（ａ）はアンカーパイプを、（ｂ）はアンカー棒を示す。第５の実施の形態に係るアンカーパイプとアンカー棒は周囲をゴム材で被覆したものである。
図８（ａ）に示すアンカーパイプ２０１は上端から長さ寸法の半分程度までを厚さ１．２ｍｍ程度のゴム材２０２で被覆している。図８（ｂ）のアンカー棒２０４はその全長をゴム材２０２で被覆している。アンカーパイプ２０１の貫通孔２０１ｃは、ゴム材の厚さを考慮して直径を大きくしておく必要がある。
このように被覆されたアンカーパイプ、アンカー棒を使用することで、金物が接するパネルの部分に発生する集中的な応力を緩和することが可能である。
【図面の簡単な説明】
【００２８】
【図１】本発明によりＡＬＣパネルに手摺を取付けた状態を示す外観斜視図である。
【図２】本発明の第１の実施形態に係る手摺取付構造を説明する斜視図である。
【図３】本発明に使用するアンカーパイプの構造を説明する図であって、（ａ）は正面図、（ｂ）は側面図を示す。
【図４】本発明の第１実施形態に係る手摺取付用下地鋼材の固定構造を説明する断面図である。
【図５】本発明の第２の実施形態に係る手摺取付用下地鋼材の固定構造を説明する斜視図である。
【図６】本発明の第３の実施形態に係る手摺取付用下地鋼材の固定構造を説明する斜視図である。
【図７】本発明の第４の実施形態に係る摺取付用下地鋼材の固定構造を説明する斜視図である。
【図８】本発明で使用するアンカーパイプとアンカー棒の第５の実施の形態の構造を示す図であって、（ａ）はアンカーパイプの外観斜視図、（ｂ）はアンカー棒の外観斜視図である。
【図９】従来の立ち上がり壁の取付構造の一例を説明する斜視図である。
【図１０】従来の手摺取付構造の一例を説明する図である。
【図１１】従来の手摺取付構造の他の例を説明する図である。
【図１２】従来の埋込部材の一例を示す図である。
【符号の説明】
【００２９】
１  軽量気泡コンクリート（ＡＬＣ）パネル
１ａ  ＡＬＣパネル表面
１ｃ  側方小口面
１ｄ  上部小口面
１ｅ  下部小口面
２、２０１  アンカーパイプ
２ａ  上端
２ｂ  ネジ切り部
２ｃ，２０１ｃ  貫通孔
３、６、３６、３８  ボルト
３８ａ  平板部
３８ｂ  凹状部
４、２０  アンカー棒
５、３４  取付金具
７  建物躯体
８  Ｌ字型アングル
９、１２  下地鋼材
９ａ  孔部
１３ａ、  長孔
１０  受けアングル
１３  プレート
１７  凹条
１８  目地部
１９  手摺取付用部材
２０  アンカー部材
２１  接着部材
２２  ワッシャー
２３  ナット
２４  手摺支柱部材
２５  笠木
２６  手摺
２９  孔
３１、３２  アンカー
３３  下地鋼材
３９  溶接ビート
２０２  ゴム材
【図１】
2008285941.tif 000003
【図２】
2008285941.tif 000004
【図３】
2008285941.tif 000005
【図４】
2008285941.tif 000006
【図５】
2008285941.tif 000007
【図６】
2008285941.tif 000008
【図７】
2008285941.tif 000009
【図８】
2008285941.tif 000010
【図９】
2008285941.tif 000011
【図１０】
2008285941.tif 000012
【図１１】
2008285941.tif 000013
【図１２】
2008285941.tif 000014